(57)【要約】【課題】ワイヤレスキーボードの固定効果により脱落が難しく、各種異なる車種にも簡単に取り付けられ、人間的な解除や盗難防止設定を行うクリップ式ワイヤレスキーボード盗難防止構造の提供。【解決手段】クリップ式ワイヤレスキーボード盗難防止構造は、メーンマシン1とワイヤレスキーボード2を含み、そのメーンマシン1は、車内に取り付け盗難防止およびドアロックコントロールを行うものであり、ワイヤレスキーボード2は、その上にクリップ21を設けて車両ドア3近くに可動取り付けすることにより、クリップ21はワイヤレスキーボード2の固定効果を増強し容易に脱落しなくなり、並びに各種異なる車種にも簡単に取り付けられ、そのワイヤレスキーボード2をメーンマシン1に組み合わせると、車に近づいた時に人間的な解除や盗難防止設定を行うことのできるクリップ式ワイヤレスキーボード盗難防止構造となる。【選択図】図１
0003131575.tif 000002
【実用新案登録請求の範囲】
【請求項１】
クリップ式ワイヤレスキーボード盗難防止構造において、それは、
車内に取り付け、盗難防止およびドアロックコントロールを行う為のメーンマシンと、
上にクリップを設けて車両ドア近くに可動取り付けするワイヤレスキーボードと、
により構成され、
該ワイヤレスキーボードの固定効果を向上させるクリップを設計してある故、簡単に脱落することがなく、車両ドアを閉めた後、クリップは車両ドアの隙間より大きい故、外からこのクリップ式のワイヤレスキーボードを抜き取り盗難することは難しく、また各種異なる車種に適用でき簡単に取り付けられ、そのワイヤレスキーボードをメーンマシンに組み合わせると、リモコンの携帯が必要なく、車主が車に近づくと自動的に解除や盗難防止設定を行うことができることを特徴とするクリップ式ワイヤレスキーボード盗難防止構造。
【請求項２】
請求項１記載のクリップ式ワイヤレスキーボード盗難防止構造において、前記ワイヤレスキーボードは長形体であり、その表面にキーのあるワイヤレスキーボードのクリップはワイヤレスキーボード背面端に連結することを特徴とするクリップ式ワイヤレスキーボード盗難防止構造。
【請求項３】
請求項１記載のクリップ式ワイヤレスキーボード盗難防止構造において、前記ワイヤレスキーボードは各種デザインとすることも可能であり、表面にキーを設けたワイヤレスキーボードのクリップはワイヤレスキーボード背面端に連結することを特徴とするクリップ式ワイヤレスキーボード盗難防止構造。
【請求項４】
請求項１記載のクリップ式ワイヤレスキーボード盗難防止構造において、前記クリップは異なる傾斜度の車両ドアに合わせて角度調節可能な可動回転式とすることも可能であり、取り付け後は、キーのあるワイヤレスキーボードと車両ドアの把手や車窓とを平行状態にし、美観および協調性を増強することを特徴とするクリップ式ワイヤレスキーボード盗難防止構造。
【考案の詳細な説明】
【技術分野】
【０００１】
本考案は、自動車の盗難防止構造上の創作に関するものであり、特にワイヤレスキーボード背後に、有効的に固定効果を向上させ脱落を回避するクリップを設け、各種異なる車種に適用し取り付けが便利に行え、他に穴開け配線する必要がなく、新車と同様に人間的コントロールができるクリップ式ワイヤレスキーボード盗難防止構造である。
【背景技術】
【０００２】
現代生活が豊かになり科学技術が進歩する中、ほとんどの家には自動車がある為、外出は自らの交通手段を使い便利になったが、盗難発生件数も年々増加する傾向にあり、自動車盗難犯罪手段においては、ロックの破壊が最多、続いて、泥棒が自分で用意した万能鍵、車主の鍵を抜き忘れ、ドア把手の破壊、車主がエンジンを切っていない、故障車の移動の偽装等による盗難が順に挙げられている。調査によれば通常、熟練した泥棒にとって、一台の車の盗難必要時間はわずか5分で、盗難防止設備のある車の盗難を好まない傾向にあり、なぜならこれらの車の盗難には時間がかかり捕まる確率も増大するからである。
【０００３】
よって、業界では盗難防止器の積極的な研究開発が進んでおり、多種の自動車盗難防止器から選択して取り付けることにより、愛車が侵入を受けた瞬間に警告が発せられ、効果的に泥棒を脅かして盗難阻止する作用を達成している。自動車盗難防止器は種類が非常に多く、その機能にも良し悪しの差異が大きく、早い時期に見られた一般の自動車盗難防止器およびリモコン電動ロックは、その多くがリモコンを使用してコントロールするものであったが、現在では、図10に示したような比較的先進的なメーカー装備の盗難防止システムがある。これはリモコンの携帯を不要とし、リモコンキーを車内に置き忘れる問題を回避する為に、車両ドア3aの把手近くに数字キーボード2aを設け、そのキー22aで暗証番号をキーインしてロックを外し、盗難防止状態を解除するか、キー22aで暗証番号をキーインしてロックし盗難防止状態にするものである。リモコンを携帯する必要がなく、人間的な設計である便利性を有している。
【０００４】
このような車の付属システムはメーカーが製造している故、非常に簡単であるが、古い型の車のアフターサービス市場についていえば、後から取り付けたいなら、古い型の車のドアに穴を開けてからでないとキースイッチを取り付けられず、また車内のメーンマシンにライン接続しなければならないことから、消費者は同等の設備を希望するにも関わらず、新車に穴を開け配線すると聞いたとしたら、やはり頭を振って受け入れられないことだろう。
【０００５】
よって、公知技術の最良代替方案としては、ボックス型のワイヤレスキーボード（キー回路、電池、ワイヤレス発信回路を含む）の後方接着方式で自動車ドアに粘着したものがあり、穴あけ配線の面倒がない故、ユーザーの取り付け希望も高まったが、単純な後方接着固定方式は使用中に取り外し盗難される可能性が十分あり、長く使用すると洗車時や運転時の車体振動により脱落し易いことが大きな欠点となっている。
【考案の開示】
【考案が解決しようとする課題】
【０００６】
本考案は、固定効果を有効的に向上させ脱落を防ぎ、並びに各種異なる車種に適用し取り付けが便利で、他に穴を開けて配線する必要なく、新車と同様の人間的なコントロールのできるクリップ式ワイヤレスキーボード盗難防止構造の提供を最も主な目的とする。
【０００７】
以上の目的を達成する為に、本考案の設計するクリップ式ワイヤレスキーボード盗難防止構造は、メーンマシン1とワイヤレスキーボード2を含み、そのメーンマシン1は、車内に取り付け盗難防止およびドアロックコントロールを行うものであり、ワイヤレスキーボード2は、その上にクリップ21を設けることにより、ワイヤレスキーボード2の固定効果を向上させて容易に脱落しなくなり、並びに各種異なる車種にも簡単に取り付けられ、そのワイヤレスキーボード2をメーンマシン1に組み合わせると、車に近づいた時に人間的な解除や盗難防止設定を行うことのできるクリップ式ワイヤレスキーボード盗難防止構造となる。
【課題を解決するための手段】
【０００８】
請求項１の考案は、クリップ式ワイヤレスキーボード盗難防止構造において、それは、車内に取り付け、盗難防止およびドアロックコントロールを行う為のメーンマシンと、
上にクリップを設けて車両ドア近くに可動取り付けするワイヤレスキーボードと、
により構成され、
該ワイヤレスキーボードの固定効果を向上させるクリップを設計してある故、簡単に脱落することがなく、車両ドアを閉めた後は、クリップは車両ドアの隙間より大きい故、外からこのクリップ式のワイヤレスキーボードを抜き取り盗難することは難しく、また各種異なる車種に適用でき簡単に取り付けられ、そのワイヤレスキーボードをメーンマシンに組み合わせると、リモコンの携帯が必要なく、車主が車に近づくと自動的に解除や盗難防止設定を行うことができることを特徴とするクリップ式ワイヤレスキーボード盗難防止構造としている。
請求項２の考案は、請求項１記載のクリップ式ワイヤレスキーボード盗難防止構造において、前記ワイヤレスキーボードは長形体であり、その表面にキーのあるワイヤレスキーボードのクリップはワイヤレスキーボード背面端に連結することを特徴とするクリップ式ワイヤレスキーボード盗難防止構造としている。
請求項３の考案は、請求項１記載のクリップ式ワイヤレスキーボード盗難防止構造において、前記ワイヤレスキーボードは各種デザインとすることも可能であり、表面にキーを設けたワイヤレスキーボードのクリップはワイヤレスキーボード背面端に連結することを特徴とするクリップ式ワイヤレスキーボード盗難防止構造としている。
請求項４の考案は、請求項１記載のクリップ式ワイヤレスキーボード盗難防止構造において、前記クリップは異なる傾斜度の車両ドアに合わせて角度調節可能な可動回転式とすることも可能であり、取り付け後は、キーのあるワイヤレスキーボードと車両ドアの把手や車窓とを平行状態にし、美観および協調性を増強することを特徴とするクリップ式ワイヤレスキーボード盗難防止構造としている。
【考案の効果】
【０００９】
本考案のクリップ式ワイヤレスキーボード盗難防止構造は、ワイヤレスキーボードの固定効果により脱落が難しく、各種異なる車種にも簡単に取り付けられ、人間的な解除や盗難防止設定を行うことを特徴とする。
【考案を実施するための最良の形態】
【００１０】
図１〜９に示したとおり、本考案が設計したクリップ式ワイヤレスキーボード盗難防止構造は、メーンマシン1とワイヤレスキーボード2を含み、そのメーンマシン1は、車内に取り付け盗難防止およびドアロックコントロールを行うものであり、ワイヤレスキーボード2は、キー回路、電池、ワイヤレス発信回路（未図示）を含み、その上にクリップ21を設け、車両ドア3近くに可動取り付けするものである。
【００１１】
実施する場合は、図２に示したとおり、ワイヤレスキーボード2は長形体に設計し、その表面には数字等のキー22を設計、クリップ21はワイヤレスキーボード2背面端に連結する。図４、図５に示したとおり、ワイヤレスキーボード2はその他各種デザインとすることも可能であり、表面には数字等のキー22を設け、クリップ21はワイヤレスキーボード2背面端に連結する。
【００１２】
図１〜９に示したとおり、設計したワイヤレスキーボード2は付加式である故、各種異なる車種に適用し便利に取り付けができ、他の穴あけ配線が不要で、取り付け時には、同様に背部接着して基礎固定する他、更にワイヤレスキーボード2の固定効果を向上させるクリップ21を設計してある故、走行における振動もしくは洗車時にも簡単に脱落することがなく、車両ドア3を閉めた後は、クリップ21は車両ドア3の隙間より大きい故、外からこのクリップ式のワイヤレスキーボード2を抜き取り盗難することは難しい。
【００１３】
また、異なる傾斜度の車両ドア3に適応させる為、ワイヤレスキーボード2背面のクリップ21を、図８および図９に示すような角度調節可能な可動回転式に設計することも可能であり、取り付け後は、キー22のあるワイヤレスキーボード2と車両ドア3の把手や車窓とを平行状態にし、美観および協調性を強化する。
【００１４】
よって、ワイヤレスキーボード2をメーンマシン1に組み合わせることにより、各種異なる車種に使用可能となり、車に近づくと人間的に解除したり盗難防止機能を設定する。車から降りて離れる前には、ただワイヤレスキーボード2上の予め選択しておいたキー22を押すと、盗難防止のロック設定が始まる。解除する場合にもまたワイヤレスキーボード2を順序に基づき正確な数字を押すと、自動的にロックが開き盗難防止が解除される故、使用方法は非常に便利である。
【図面の簡単な説明】
【００１５】
【図１】本考案のブロック図である。
【図２】Ａは本考案の長形体のワイヤレスキーボードの立体外観図である、ＢはＡの背面立体外観図である。
【図３】本考案図２の応用例図である。
【図４】Ａは本考案のワイヤレスキーボードのもう一つのデザイン実施例の立体外観図である、ＢはＡ側面の立体外観図である。
【図５】Ａは本考案のワイヤレスキーボードの更に別のデザイン実施例の立体外観図である、ＢはＡ側面の立体外観図である。
【図６】本考案の図４の応用例図である。
【図７】本考案の図５の応用例図である。
【図８】本考案のクリップを角度調整可能にした設計の立体および背面概略図である。
【図９】本考案の図６の応用例図である。
【図１０】新車両ドアに最初から設置されている公知のワイヤレスキーボードの外観図である。
【符号の説明】
【００１６】
１      メーンマシン
２      ワイヤレスキーボード
２１    クリップ
２２    キー
３      車両ドア
２ａ    数字キーボード
２２ａ  キー
３ａ    車両ドア
【図１】
0003131575.tif 000003
【図２】
0003131575.tif 000004
【図３】
0003131575.tif 000005
【図４】
0003131575.tif 000006
【図５】
0003131575.tif 000007
【図６】
0003131575.tif 000008
【図７】
0003131575.tif 000009
【図８】
0003131575.tif 000010
【図９】
0003131575.tif 000011
【図１０】
0003131575.tif 000012
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
クリップ式ワイヤレスキーボード盗難防止構造において、それは、
車内に取り付け、盗難防止およびドアロックコントロールを行う為のメーンマシンと、
上にクリップを設けて車両ドア近くに可動取り付けするワイヤレスキーボードと、により構成され、
該ワイヤレスキーボードの固定効果を向上させるクリップを設計してある故、簡単に脱落することがなく、車両ドアを閉めた後、クリップは車両ドアの隙間より大きい故、外からこのクリップ式のワイヤレスキーボードを抜き取り盗難することは難しく、また各種異なる車種に適用でき簡単に取り付けられ、そのワイヤレスキーボードをメーンマシンに組み合わせると、リモコンの携帯が必要なく、車主が車に近づいて解除や盗難防止設定を行うことができることを特徴とするクリップ式ワイヤレスキーボード盗難防止構造。
【請求項２】
請求項１記載のクリップ式ワイヤレスキーボード盗難防止構造において、前記ワイヤレスキーボードは長形体であり、その表面にキーのあるワイヤレスキーボードのクリップはワイヤレスキーボード背面端に連結することを特徴とするクリップ式ワイヤレスキーボード盗難防止構造。
【請求項３】
請求項１記載のクリップ式ワイヤレスキーボード盗難防止構造において、前記ワイヤレスキーボードは各種デザインとすることも可能であり、表面にキーを設けたワイヤレスキーボードのクリップはワイヤレスキーボード背面端に連結することを特徴とするクリップ式ワイヤレスキーボード盗難防止構造。
【請求項４】
請求項１記載のクリップ式ワイヤレスキーボード盗難防止構造において、前記クリップは異なる傾斜度の車両ドアに合わせて角度調節可能な可動回転式とすることも可能であり、取り付け後は、キーのあるワイヤレスキーボードと車両ドアの把手や車窓とを平行状態にし、美観および協調性を増強することを特徴とするクリップ式ワイヤレスキーボード盗難防止構造。
【手続補正２】
【補正対象書類名】明細書
【補正対象項目名】０００８
【補正方法】変更
【補正の内容】
【０００８】
請求項１の考案は、クリップ式ワイヤレスキーボード盗難防止構造において、それは、車内に取り付け、盗難防止およびドアロックコントロールを行う為のメーンマシンと、
上にクリップを設けて車両ドア近くに可動取り付けするワイヤレスキーボードと、により構成され、
該ワイヤレスキーボードの固定効果を向上させるクリップを設計してある故、簡単に脱落することがなく、車両ドアを閉めた後は、クリップは車両ドアの隙間より大きい故、外からこのクリップ式のワイヤレスキーボードを抜き取り盗難することは難しく、また各種異なる車種に適用でき簡単に取り付けられ、そのワイヤレスキーボードをメーンマシンに組み合わせると、リモコンの携帯が必要なく、車主が車に近づいて解除や盗難防止設定を行うことができることを特徴とするクリップ式ワイヤレスキーボード盗難防止構造としている。
請求項２の考案は、請求項１記載のクリップ式ワイヤレスキーボード盗難防止構造において、前記ワイヤレスキーボードは長形体であり、その表面にキーのあるワイヤレスキーボードのクリップはワイヤレスキーボード背面端に連結することを特徴とするクリップ式ワイヤレスキーボード盗難防止構造としている。
請求項３の考案は、請求項１記載のクリップ式ワイヤレスキーボード盗難防止構造において、前記ワイヤレスキーボードは各種デザインとすることも可能であり、表面にキーを設けたワイヤレスキーボードのクリップはワイヤレスキーボード背面端に連結することを特徴とするクリップ式ワイヤレスキーボード盗難防止構造としている。
請求項４の考案は、請求項１記載のクリップ式ワイヤレスキーボード盗難防止構造において、前記クリップは異なる傾斜度の車両ドアに合わせて角度調節可能な可動回転式とすることも可能であり、取り付け後は、キーのあるワイヤレスキーボードと車両ドアの把手や車窓とを平行状態にし、美観および協調性を増強することを特徴とするクリップ式ワイヤレスキーボード盗難防止構造としている。